(57)【要約】【課題】既存の遊技機の内部構成を改変することなく、制御基板への不正部品の接続を防止可能な遊技機を提供する。【解決手段】カバー部材６０の内部に移動可能に支持されている移動固定部材７０を、所定の固定位置に移動させて、本体の一部を破壊しないと当該固定を解除できない封印固定手段８０を用いて、所定の固定部２１０に設置されたカバー部材６０に固定することにより、カバー部材６０が固定部２１０に取り外し不能に固定される。カバー部材６０は、封印固定手段８０の固定を解除し、固定位置にある移動固定手段７０を所定の固定解除位置に移動させることにより、固定部２１０から取り外し可能となる。【選択図】図４
2008302037.tif 000002
【特許請求の範囲】
【請求項１】
筐体と、この筐体内部に収納される遊技装置と、遊技を行うために遊技者が操作する操作スイッチと、当選判定の抽選や前記操作スイッチの操作及び抽選結果に基づく入賞判定その他遊技に関する制御を行うための主基板と、前記主基板に接続される主基板接続部を少なくとも有し、前記主基板と前記遊技装置その他筐体内部の装置とを電気的に接続するための接続手段と、を少なくとも備える遊技機において、
所定の固定部に固定されることにより、前記接続手段の少なくとも前記主基板接続部を被覆してその抜き差し操作を不能とするためのカバー部材と、
このカバー部材の内側に移動可能に支持される移動固定部材と、
前記移動固定部材を前記カバー部材に固定するための封印固定手段とを設け、
前記移動固定部材は、前記カバー部材の表面から露出する操作部を有するとともに、この操作部の操作に基づき、前記カバー部材を前記固定部に固定可能とする固定位置と、前記カバー部材を前記固定部から取り外し可能とする固定解除位置とに移動可能であり、
前記封印固定手段は、前記移動固定部材が前記固定位置に位置している場合に、前記カバー部材と前記移動固定部材を固定可能であるとともに、本体の一部を破壊しないと当該固定を解除できないように形成されており、
前記カバー部材は、前記固定部に設置された状態で、前記固定位置にある前記移動固定部材が前記封印固定手段により固定されることにより、前記固定部に取り外し不能に固定されるとともに、前記封印固定手段の固定を解除し前記移動固定手段を前記固定解除位置に移動させることにより、前記固定部から取り外し可能となることを特徴とする遊技機。
【請求項２】
前記遊技装置を前記筐体内部に支持させるための支持体を備え、
前記カバー部材を固定するための固定部を、前記支持体の一部とし、
前記カバー部材は、前記支持体の一部に当接可能な当接部を備え、
前記移動固定部材は、前記カバー部材に対して水平方向に移動可能に支持されているとともに、前記支持体の一部であって前記当接部が当接する対向側に当接可能な固定当接部を備え、
前記移動固定部材は、前記固定位置にあっては前記固定当接部が前記支持体の一部に当接し、前記固定解除位置にあっては前記固定当接部が前記支持体の一部から離れるように形成されており、
前記カバー部材は、前記当接部を前記支持体の一部に当接させた状態で、前記固定位置にある前記移動固定部材が前記封印固定手段により固定されることにより、前記支持体の一部に取り外し不能に固定されるとともに、前記封印固定手段の固定を解除し前記移動固定手段を前記固定解除位置に移動させることにより、前記支持体の一部から取り外し可能となることを特徴とする請求項１記載の遊技機。
【請求項３】
前記遊技装置として、複数の図柄表示手段を有するリールユニットを備え、
前記主基板は、前記リールユニットとともに前記支持体に固定されており、
前記支持体は、少なくとも正面側に横方向に延びて設けられた枠部を有し、前記筐体に着脱自在に形成されており、
前記支持体には、前記主基板に前記接続手段を介して接続され、前記操作スイッチの操作信号その他遊技制御に関する信号を前記主基板に出力するとともに、前記主基板からの出力信号及び前記操作スイッチの操作信号に基づき前記リールユニットの作動を制御するための中継基板が設けられ、
前記接続手段は、前記中継基板に接続される中継基板接続部を備え、
前記主基板は、前記支持体の上部奥側に、前記主基板接続部と接続可能な基板面を正面側に向けて設置され、
前記中継基板は、前記主基板の下部手前側に、前記中継基板接続部と接続可能な基板面を上側に向けて設置され、
前記カバー部材を固定するための固定部を、前記枠部とし、
前記カバー部材は、前記枠部の上側に当接可能な前記当接部としての上側当接部を備えるとともに、背面側に設けられた背面開放部を前記主基板接続部に位置させ、底面側に設けられた底面開放部を前記中継基板接続部に位置させて、前記主基板接続部、前記中継基板接続部、及び前記主基板接続部と前記中継基板接続部とをつなぐ接続結線を被覆可能であり、
前記移動固定部材は、前記カバー部材に対して水平方向に移動可能に支持されているとともに、前記枠部の下側に当接可能な前記固定当接部としての下側当接部を備え、前記固定位置にあっては前記下側当接部が前記枠部の下側となり、前記固定解除位置にあっては前記下側当接部が前記枠部の下側から外れるように形成されており、
前記カバー部材は、前記上側当接部を前記枠部に当接させた状態で、前記固定位置にある前記移動固定部材が前記封印固定手段により固定されることにより、前記枠部に取り外し不能に固定されるとともに、前記封印固定手段の固定を解除し前記移動固定手段を前記固定解除位置に移動させることにより、前記枠部から取り外し可能となることを特徴とする請求項２記載の遊技機。
【発明の詳細な説明】
【技術分野】
【０００１】
この発明は、筐体内部に遊技機を制御するための制御基板が収納されている遊技機に関するものである。
【背景技術】
【０００２】
従来、この種の遊技機、例えばスロットマシンにおいては、遊技機を制御するための制御基板と、遊技機の内部装置、例えば電源やリールユニットなどの遊技装置とを接続する接続手段（ハーネス）の接続部（コネクタ）がむき出しになっていたたため、容易に接続部の抜き差しができた。このため、制御装置に疑似操作信号を出力してボーナスゲームを当選させ人為的にボーナス内部当たり状態を作り出す打ち込み機などの不正部品が接続されることがあった。このような接続部の不正な抜き差しを防止するため、制御基板の接続部の構造を引き抜き困難なものにする発明がなされている（特許文献１参照）。
【特許文献１】特開２００６−２１８０１８号公報
【発明の開示】
【発明が解決しようとする課題】
【０００３】
しかし、制御基板の設計変更や遊技機内部の配置変更などを行うことなく、不正部品の接続回避できれば、より経済的であり環境負荷も少ない。
そこで、各請求項に記載された発明は、既存の遊技機の内部構成を改変することなく、制御基板への不正部品の接続を防止可能な遊技機を提供することを目的とする。
【課題を解決するための手段】
【０００４】
各請求項に記載された発明は、上記した各目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、筐体(1)と、この筐体(1)内部に収納される遊技装置と、遊技を行うために遊技者が操作する操作スイッチと、当選判定の抽選や前記操作スイッチの操作及び抽選結果に基づく入賞判定その他遊技に関する制御を行うための主基板(241)と、前記主基板(241)に接続される主基板接続部（主基板コネクタ52）を少なくとも有し、前記主基板(241)と前記遊技装置その他筐体内部の装置とを電気的に接続するための接続手段（メインハーネス50）と、を少なくとも備える遊技機に係る。
【０００５】
本発明に係る遊技機は、遊技場に設置される遊技機であって、例えばスロットマシンに適している。遊技機としては、上記構成の他に、遊技機の主電源のＯＮ／ＯＦＦを切り替えるための電源ユニット(4)や、遊技媒体（例えばメダル）を払い出すための払い出し装置（ホッパーユニット５）や、筐体(1)の前面側に開閉自在に取り付けられた扉体(前扉３)を有していてもよい。
ここで、「遊技装置」とは、当該遊技機で遊技を行わせるために不可欠な装置であって、スロットマシン(S)におけるリールユニット(20)がこれに相当する。また、前記「操作スイッチ」は、遊技者が操作することによって遊技装置を作動させることができるスイッチ類であって、例えばリールユニット(20)の回転リール(23)を回転開始させるためのスタートスイッチ(44)や、回転リール(23)の回転を停止させるためのストップスイッチ(45)等が含まれる。
【０００６】
前記主基板(241)は、外装箱（主基板ケース240）に収納されたプリント基板であり、主として遊技装置の作動を制御するための制御基板である。具体的には、スロットマシン(S)を例にすると、複数の図柄配列からなる当選役の抽選処理を行なったり、スタートスイッチ(44)及びストップスイッチ(45)の操作信号に基づく回転リール(23)の回転及び回転停止処理を行なったり、回転リール(23)の図柄の停止位置から入賞の有無を判定し、入賞の場合にはホッパーユニット(5)を作動させてメダルを払い出したりするためのものである。なお、本発明においては、前記主基板(241)は筐体(1)に固定されていてもよいし、筐体(1)に収納される他の装置、例えば遊技装置に固定されていてもよい。
【０００７】
前記接続手段(50)は、主基板(241)と遊技機内部に設置されている装置とを接続するための電気的接続手段であって、信号線を束にした結線(51)の少なくとも一端部に、主基板(241)と接続可能な主基板接続部(52)が設けられている。結線(51)の他端部は、遊技機内部の装置に直接接続されていてもよいし、遊技機内部の装置や当該装置と主基板(241)との中継基板に接続される接続部（中継基板接続部、メインリール基板コネクタ53）を有していてもよい。
さらに、本発明に係る遊技機においては、所定の固定部に固定されることにより、前記接続手段(50)の少なくとも前記主基板接続部(52)を被覆してその抜き差し操作を不能とするためのカバー部材(60)と、このカバー部材(60)の内側に移動可能に支持される移動固定部材（ロック部材70）と、この移動固定部材(70)を前記カバー部材(70)に固定するための封印固定手段（カシメピン80）とを設けてある。
【０００８】
前記移動固定部材(70)は、前記カバー部材(60)の表面から露出する操作部（つまみ71）を有するとともに、この操作部(71)の操作に基づき、前記カバー部材(60)を前記固定部に固定可能とする固定位置と、前記カバー部材(60)を前記固定部から取り外し可能とする固定解除位置とに移動可能である。また、前記封印固定手段(80)は、前記移動固定部材(70)が前記固定位置に位置している場合に、前記カバー部材(60)と前記移動固定部材(60)を固定可能であるとともに、本体の一部を破壊しないと当該固定を解除できないように形成されている。
そして、前記カバー部材(60)は、前記固定部に設置された状態で、前記固定位置にある前記移動固定部材(70)が前記封印固定手段(80)により固定されることにより、前記固定部に取り外し不能に固定されるとともに、前記封印固定手段(80)の固定を解除し前記移動固定手段(70)を前記固定解除位置に移動させることにより、前記固定部から取り外し可能となることを特徴とする。
【０００９】
前記カバー部材(60)は、接続手段(50)の前記主基板接続部(52)を覆い隠すことができる例えば箱形の部材であり、本発明においては主基板接続部(52)が被覆されそれによってコネクタの抜き差し操作が不能になっていればよい。例えば結線(51)の一部がカバー部材(60)から露出していてもよい。
また、カバー部材(60)は、筐体(1)内部の所定の固定部に設置固定されることにより、主基板接続部(52)を覆い隠すことができるようになっている。「固定部」は、筐体(1)の内部（例えば裏板(18)や側板(16)）を含み、筐体(1)に収納されている又は収納される装置の一部（例えばリールユニット(20)の枠組み）をも含む。例えば、筐体(1)に対して着脱自在に形成された交換ユニット(2)の支持枠(21)にカバー部材(60)を固定することも、「所定の固定部」に固定することに含まれる。
【００１０】
前記移動固定部材(70)は、カバー部材(60)を前記固定部に固定するための部材である。前記操作部(71)は、カバー部材(60)の表面に形成された開口部から突出する突起やダイヤルとすることかでき、操作部(71)を操作、例えばスライドさせたり回転させたりすることにより、移動固定部材(70)の全体又は一部が移動して、固定位置又は固定解除位置に移動するように形成されているものである。ここで、「移動」には、スライド、回転、回動、揺動を含み、移動方向は問わない。例えば、筐体(1)内に設置されたカバー部材(60)に対して、前後方向、左右方向、上下方向に移動可能とすることができる。なお「固定位置」及び「固定解除位置」は、例えば操作部(71)が露出しているカバー部材(60)の表面に、「ロック」「ロック解除」などの文字や目盛りを付して表示することができる。
【００１１】
前記封印固定手段(80)は、例えばカシメフックやカシメピンなどを含み、一度固定したら封印固定手段(80)自体を破壊しない限り固定解除できない構成になっている。例えば、カバー部材(60)と移動固定部材(70)を貫通して取り付けられたリングを切断したり、カバー部材(60)と移動固定部材(70)のそれぞれに設けられたピン孔(63,73)に貫通させた鈎付きピンの頭部を切り取ったりしないと、封印固定手段(80)をカバー部材(60)及び移動固定部材(70)から取り外せないようになっている。なお、封印固定手段(80)を破壊してもカバー部材(60)及び移動固定部材(70)は破損しないような構成とするのが好ましい。
（作用）
本発明において、遊技機（遊技機の一部を含む）が遊技場に設置された状態においては、前記カバー部材(60)はすでに筐体(1)内の所定位置に固定されている。すなわち、カバー部材(60)は遊技機の製造組み立て工場において設置固定するものである。
【００１２】
前記カバー部材(60)を筐体(1)内の所定位置あるいは所定位置となる場所に固定する場合には、移動固定部材(70)の操作部(71)を固定解除位置にした状態で、カバー部材(60)を、少なくとも主基板接続部(52)を被覆可能な（又は可能となる）固定部に設置してから、操作部(71)を操作して移動固定部材(70)を固定位置に移動させる。これにより、カバー部材(60)と移動固定部材(70)が封印固定手段(80)によって固定可能な位置となる。
そして、カバー部材(60)と移動固定部材(70)に封印固定手段(80)を取り付ければ、移動固定部材(70)がカバー部材(60)に移動不能に固定され、カバー部材(60)は前記主基板接続部(52)を被覆している固定部に固定される。例えば、カバー部材(60)と移動固定部材(70)が、筐体(1)に設けられた突起や筐体(1)に収納されている装置の一部などを挟み込んだり、移動固定部材(70)が前記固定部に固定されることにより、カバー部材(60)が所定位置から移動できなくなる。これにより、主基板接続部(52)に触れることができなくなり、主基板接続部(52)を引き抜くことができなくなる。
【００１３】
一方、カバー部材(60)を取り外す場合には、封印固定手段(80)を破壊して移動固定部材(70)をカバー部材(60)に対して移動可能にした後、操作部(71)を操作して移動固定部材(70)を固定解除位置に移動させ、カバー部材(60)を取り外す。なお、取り外したカバー部材(60)及び移動固定部材(70)は、そのまま再利用できる。
このように、カバー部材(60)を取り外すためには封印固定手段(80)を破壊しなければならず、しかも封印固定手段(80)は遊技機の製造組み立て工場において取り付けられるものであるため、遊技店でカバー部材(60)を取り外すとその痕跡が残ることとなる。このため、主基板接続部(52)を引き抜いて打ち込み機などの不正部品を接続するような行為を効果的に抑制することができる。
【００１４】
また、カバー部材(60)及び移動固定部材(70)は再利用できるので、経済性、環境性に優れているとともに、カバー部材(60)及び移動固定部材(70)を既存の遊技機に取り付けるだけで、上記したような不正接続の抑制を図ることができる。
（請求項２）
（特徴点）
請求項２記載の発明は、上記した請求項１記載の発明の特徴点に加え、次の点を特徴とする。
すなわち、請求項２記載の発明は、前記遊技装置を前記筐体(1)内部に支持させるための支持体（支持枠21）を備え、前記カバー部材(60)を固定するための固定部を、前記支持体(21)の一部とし、前記カバー部材(60)は、前記支持体(21)の一部に当接可能な当接部（下面64A,裏面66A）を備え、前記移動固定部材(70)は、前記カバー部材(60)に対して水平方向に移動可能に支持されているとともに、前記支持体(21)の一部であって前記当接部(64A,66A)が当接する対向側に当接可能な固定当接部（上面74A,前面76）を備えている。また、前記移動固定部材(70)は、前記固定位置にあっては前記固定当接部(74A,76)が前記支持体(21)の一部に当接し、前記固定解除位置にあっては前記固定側当接部(74A,76)が前記支持体(21)の一部の下側から離れるように形成されている。そして、前記カバー部材(60)は、前記当接部(64A,66A)を前記支持体(21)の一部に当接させた状態で、前記固定位置にある前記移動固定部材(70)が前記封印固定手段(80)により固定されることにより、前記支持体(21)の一部に取り外し不能に固定されるとともに、前記封印固定手段(80)の固定を解除し前記移動固定手段(70)を前記固定解除位置に移動させることにより、前記支持体(21)の一部から取り外し可能となることを特徴とする。
【００１５】
本発明は、カバー部材(60)が遊技装置の支持体(21)に設置され、カバー部材(60)と移動固定部材(70)で支持体の一部を挟むようにして固定するように形成したものである。
ここで、前記「支持体」は、枠体又は箱体とすることができ、例えばリールユニット(20)の回転リール(23)を支持する枠材を含み、この支持体(21)は遊技装置以外のもの、例えば主基板(241)を固定することが可能であってもよい。またこの支持体(21)は、筐体(1)に着脱自在に形成されていてもよい。
またここで、「支持体の一部」とは、例えば支持体(21)の上面板や側面板、あるいは中仕切り板や仕切り枠を含み、それらの一部、例えばＬ字型の仕切り枠の水平片や垂直片、さらにそれらの側端部などを含むものである。
【００１６】
前記カバー部材(60)の「当接部」は、支持体(21)の一部の正面側、上面側あるいは側面に当接可能な面又は部分とすることができる。前記移動固定部材(70)の「固定当接部」は、カバー部材(60)の「当接部」が当接可能な支持体(21)の一部の一面の対向側、例えば支持体(21)の一部の背面側、下面側あるいは反対側の側面に当接可能な面又は部分とすることができる。また、移動固定部材(70)がカバー部材(60)に対して「水平方向に移動可能」とは、前後方向、左右方向に移動することを含み、「移動」にはスライド、回転、回動を含む。
本発明は、遊技装置の近傍又は遊技装置に主基板(241)が設けられている場合に効果的である。
【００１７】
（請求項３）
（特徴点）
請求項３記載の発明は、上記した請求項２記載の発明の特徴点に加え、次の点を特徴とする。
すなわち、請求項３記載の発明は、前記遊技装置として、複数の図柄表示手段（回転リール23）を有するリールユニット(20)を備え、前記主基板(241)は、前記リールユニット(20)とともに前記支持体(21)に固定されており、前記支持体(21)は、少なくとも正面側に横方向に延びて設けられた枠部（仕切り枠210）を有し、前記筐体(1)に着脱自在に形成されており、前記支持体(21)には、前記主基板(241)に前記接続手段(50)を介して接続され、前記操作スイッチの操作信号その他遊技制御に関する信号を前記主基板(241)に出力するとともに、前記主基板(24)からの出力信号及び前記操作スイッチの操作信号に基づき前記リールユニット(20)の作動を制御するための中継基板（メインリール基板251）が設けられている遊技機に係る。
【００１８】
ここで、前記「図柄表示手段」には、複数の図柄を表示したリールテープをドラムに貼り付け駆動モータにより回転する回転リール(23)の他、液晶表示装置を用いて複数の図柄を変動表示及び停止表示可能に形成したものも含まれる。すなわち、リール装置を有していないものも「リールユニット」に含まれるものである。
また本発明においては、少なくとも支持体(21)を交換することにより、遊技を司るハード部分（リールユニット(20)）とソフト部分（主基板(241)）が交換され、筐体(1)や筐体(1)に設置される他の構成部品（例えばホッパーユニット(5)など）を据え置いたまま、遊技機の機種交換が可能となる。
【００１９】
すなわち、本発明において前記支持体(21)は、リールユニット(20)を筐体(1)内部に支持させるとともに、リールユニット(20)及び主基板(241)を一体的に取り扱い可能とするためのものとして機能する。支持体(21)には、上記以外の装置や部品を取り付け又は固定可能であってもよい。例えば、遊技に付随する演出を制御するためのサブ基板や、支持体(21)を筐体(1)の開口上部(13)に収納固定した状態で開口上部(13)を開閉自在とする上扉(30)を取り付け可能であってもよい。
前記中継基板(251)は、支持体(21)に搭載される交換部品と、筐体(1)に据え置かれる非交換部品との間の電気信号のやりとりを中継するためのものである。
【００２０】
なお、交換部品と非交換部品の電気的接続を、ハーネスの抜き差しではなく、筐体に設けられた筐体接続部(筐体コネクタ90)と支持体(21)に設けられた支持体接続部(交換ユニットコネクタ100)との接続及び接続解除によって完了させるように形成してもよい。この場合には、中継基板(251)と筐体接続部(90)とを接続すればよい。
そして、本発明においては、前記接続手段(50)は、前記中継基板(251)に接続される中継基板接続部（メインリール基板コネクタ53）を備え、前記主基板(241)は、前記支持体(21)の上部奥側に、前記主基板接続部(52)と接続可能な基板面を正面側に向けて設置され、前記中継基板(251)は、前記主基板(241)の下部手前側に、前記中継基板接続部(53)と接続可能な基板面を上側に向けて設置されている。
【００２１】
また、前記カバー部材(60)を固定するための固定部を、前記枠部(210)とし、前記カバー部材(60)は、前記枠部(210)の上側に当接可能な前記当接部としての上側当接部（下面64A）を備えるとともに、背面側に設けられた背面開放部(60A)を前記主基板接続部(52)に位置させ、底面側に設けられた底面開放部(60B)を前記中継基板接続部(53)に位置させて、前記主基板接続部(52)、前記中継基板接続部(53)、及び前記主基板接続部(52)と前記中継基板接続部(53)とをつなぐ接続結線(51)を被覆可能である。
一方、前記移動固定部材(70)は、前記カバー部材(60)に対して水平方向に移動可能に支持されているとともに、前記枠部(210)の下側に当接可能な前記固定当接部としての下側当接部（上面74A）を備え、前記固定位置にあっては前記下側当接部(74A)が前記枠部(210)の下側となり、前記固定解除位置にあっては前記下側当接部(74A)が前記枠部(210)の下側から外れるように形成されている。
【００２２】
そして、前記カバー部材(60)は、前記上側当接部(64A)を前記枠部(210)に当接させた状態で、前記固定位置にある前記移動固定部材(70)が前記封印固定手段(80)により固定されることにより、前記枠部(210)に取り外し不能に固定されるとともに、前記封印固定手段(80)の固定を解除し前記移動固定手段(70)を前記固定解除位置に移動させることにより、前記枠部(210)から取り外し可能となることを特徴とする。
本発明におけるカバー部材(60)は、主基板(241)と中継基板(251)を接続している接続手段(50)をすっぽり覆い隠すようにしたものである。
ここで、スロットマシンなどの遊技機においては、行政機関が遊技機の内部を定期的に点検するために、主基板(241)を正面側から視認可能な位置に設置するよう義務づけられている。このような配置では、どうしても主基板接続部(52)が抜き差し操作しやすい場所に配置されてしまうが、本発明に係るカバー部材(60)を固定することにより、不正なハーネス着脱を防止することができる。
【発明の効果】
【００２３】
本発明は、以上のように構成されているので、既存の遊技機の内部構成を改変することなく、制御基板への不正部品の接続を防止可能な遊技機を提供することができる。
【発明を実施するための最良の形態】
【００２４】
本発明を実施するための最良の形態を図面に基づき説明する。
（図面の説明）
図１乃至図１０は、本発明の実施の形態を示すものである。
図１はスロットマシンＳの外観斜視図、図２はスロットマシンＳの分解斜視図、図３は及び図４は交換ユニット２の斜視図、図５は交換ユニット２の部分断面図、図６及び図７はハーネスカバー６の斜視図、図８乃至図１０はハーネスカバー６の断面図である。
本実施の形態におけるスロットマシンＳは、図２に示すように、大きく分けて、正面側に開口部11を有する筐体１、筐体１の内部に着脱自在に設けられる交換ユニット２、筐体１の開口部11を開閉可能に塞ぐ前扉３とから構成されている。そして、この前扉３は、筐体１の開口上部13を開閉可能に塞ぐ上扉30、筐体１の開口下部14を開閉可能に塞ぐ下扉40とに分割されている。
【００２５】
（筐体１）
筐体１は、図２に示すように、底板15及び側板16及び天板17及び裏板18からなる前面（遊技者と対峙する正面）側に開口する箱体であり、高さ方向略中央部には、二つの側板16の間に水平方向に中板12が設けられている。そして、底板15には、電源ユニット４が固定されホッパーユニット５が設置されており、正面左側の側板16の下方には、下扉40を係合させ、回転自在に支持するためのヒンジ19が、上下方向に間隔をおいて二個設けられている。
ここで、前記電源ユニット４は、特に図示しないが電源装置が内装されていると共に、ホール管理者が種々の設定を行うためのスイッチ等を有しているものである。前記ホッパーユニット５は、メダルを貯留可能であるとともに入賞時等にメダルを払い出すためのものである。
【００２６】
また、裏板18の開口上部13側には、筐体１に設置されている電源ユニット４、ホッパーユニット５及び下扉40に取り付けられている電子部品（スタートスイッチ44などの操作スイッチ類、下パネル47の照明装置、メダルセレクター48のメダルセンサ等）と電気的に接続される筐体コネクタ90が設けられている。筐体コネクタ90は、後述する交換ユニット２に設けられた交換ユニットコネクタ100と接続することにより、筐体１の設置装置と交換ユニット２に搭載されている装置（リールユニット20、主基板ユニット24等）とを電気的に接続させるためのものである。
前記電源ユニット４、ホッパーユニット５、筐体コネクタ90は、スロットマシンＳの全機種に共通して使用可能な構成部品であり、いわゆる面替えの際には、筐体１に残したままにしておけるものである。そして、筐体１は、面替えに際して、遊技場に設置したままにしておけるものである。
【００２７】
（交換ユニット２）
交換ユニット２は、図２及び図３に示すように、方形枠状の支持枠21を備え、この支持枠21には、リールユニット20と、スロットマシンＳの作動を制御する主たる制御基板である主基板ユニット24と、リールユニット20の制御の中継を行うためのメインリール基板ユニット25が固定されている。また、図５に示すように、メインリール基板ユニット25の裏面側には、筐体１に設けられた筐体コネクタ90と接続可能な交換ユニットコネクタ100が設けられている。そして、本実施の形態においては、図４に示すように、前記主基板ユニット24とメインリール基板ユニット25との接続部分を覆い隠すためのハーネスカバー６を取り付けることができるようになっている。なお、図３はハーネスカバー６を装着していない状態を示したものである。
【００２８】
前記支持枠21は、正面側が開口する箱形の枠部材であって、図３に示すように、その正面開口部は仕切り枠210によって、リール収納部21Aと基板収納部21Bに分けられている。ここで、仕切り枠210は、図５に示すように、断面略Ｌ字型のアングル材であり、図８に示すように、正面側に位置する垂直片211と、上面側に位置する水平片212とから構成されている。そして、仕切り枠210の下側はリール収納部21Aであり、ここにリールユニット20が収納固定される。また、仕切り枠210の上側は基板収納部21Bであり、ここには、主基板ユニット24とメインリール基板ユニット25が収納固定される。さらに、図３に示すように、支持枠21の正面左側の縦枠215には、上扉30を回動自在に支持するための支持体ヒンジ22が、上下方向に間隔をおいて二個設けられている。
【００２９】
前記リールユニット20は、スロットマシンＳの主たる遊技装置であって、特に図示しないが、３個の駆動モータをリール枠20Aに固定し、各駆動モータのモータ軸に、周囲に複数の図柄（図示せず）を表示した回転リール23を回転自在に取り付けたものである。そして、リール枠20Aを支持枠21の仕切り枠210及び正面下枠216に固定することにより、支持枠21に固定される。
前記主基板ユニット24は、ＣＰＵを中心にＲＯＭ、ＲＡＭを備え、当選役を決定する抽選、回転リール23の回転及び停止等、遊技に関するすべての制御を行うための基板であり、図５に示すように、主基板ケース240の内部に電子部品を搭載した主基板241を収納してあるものである。そして、基板収納部21Bの奥側に、基板面を正面側に向けて、支持枠21に固定されている。
【００３０】
前記メインリール基板ユニット25は、筐体１の設置装置と前記主基板ユニット24との間の信号のやりとりを中継するとともに、前記主基板ユニット24からの出力信号及び後述する下扉40に設けられたスタートスイッチ44等の操作手段からの操作信号に基づいて、リールユニット20の作動を制御するためのものである。メインリール基板ユニット25の構成は前記主基板ユニット24と同様に、リール基板ケース250にメインリール基板251を収納してあり、図５に示すように、基板面を上側に向け支持枠21に固定されている。
また、メインリール基板ユニット25の背面側には、メインリール基板251と接続された外部接続端子である交換ユニットコネクタ100が設けられている。交換ユニットコネクタ100は、交換ユニット２の筐体１への収納固定時に、筐体１に設けられた筐体コネクタ90と接続され、これにより筐体１の設置装置と交換ユニット２の搭載装置とが電気的に接続されるものである。
【００３１】
ここで、前記主基板ユニット24とメインリール基板ユニット25は、メインハーネス50によって電気的に接続されている。メインハーネス50は、図３及び図５に示すように、結線51の一方の端部に主基板ユニット24に接続される主基板コネクタ52を設け、他方の端部にメインリール基板ユニット25に接続されるメインリール基板コネクタ53を設けたものである。主基板コネクタ52は、主基板ケース240に形成された開口部に差し込むことにより、主基板241に設けられた接合部と接合可能に形成されている。また、メインリール基板コネクタ53は、メインリール基板ユニット25のリール基板ケース250に形成された開口部に差し込むことにより、メインリール基板251に設けられた接合部と接合可能に形成されている。
【００３２】
なお、前記メインハーネス50は、交換ユニット２の製造時において主基板ユニット24とメインリール基板ユニット25に取り付けられ、その後は面替えに際して交換ユニット２が取り替えられリサイクル工場に戻されるまで、取り外す必要がある場合はほとんどない。そこで、本実施の形態においては、支持枠21に、前記メインハーネス50を覆い、みだりにコネクタの抜き差しをさせないためのハーネスカバー６が取り付けられているのであるが、この詳細については後述する。
前記主基板ユニット24は、機種ごとに異なるものであって、これを変更することにより遊技内容が変更される。そして、交換ユニット２を交換することにより、遊技を行わせるためのソフト部分（主基板241）とハード部分（リールの図柄配列等）が同時に交換されることとなる。なお、特に図示しないが、遊技に付随する演出を制御するための演出制御装置をサブ基板として設け、これを交換ユニット２に搭載してもよい。
【００３３】
交換ユニット２は、上扉30を取り付けた状態で筐体１の中板12の上に乗せ、開口上部13内部に収納されるものである。そして、筐体１の側板16の内側に設けられたクリップなどの固定装置（図示せず）によりに固着される。そして、機種変更の際には、少なくとも交換ユニット２を交換することにより遊技内容が変更されるとともに上扉30の正面デザインが変更され、筐体１は据え置いたまま新たな遊技機として使用できるものである。
さらに、交換ユニット２を筐体１に収納する際に、筐体コネクタ90と交換ユニットコネクタ100が接続され、筐体１の設置装置と交換ユニット２の搭載装置との電気的接続が完了する。従って、面倒なハーネスの接続などを行う必要が無く、交換作業を迅速に行うことができるとともに、ハーネスの接続ミスや交換ユニット２の設置時におけるハーネスの噛み込みなどのトラブルを回避できる。
【００３４】
（上扉30）
上扉30は、筐体１の開口上部13を塞ぐための板状の扉であり、交換ユニット２の支持枠21に設けられた支持体ヒンジ22に回動自在に軸支されている。そして図１に示すように、略中央部に前記回転リール23の図柄を正面側から見ることができる図柄表示窓31が形成された上パネル34を有している。また、図柄表示窓31の上方には、動画等により種々の演出表示を行うための液晶表示装置32が設けられており、上パネル34の周囲には、ランプ等の電飾を含む飾り部33が設けられている。
上扉30の裏面側には、図２に示すように、音声を出力するためのスピーカ35が設けられているとともに、支持体ヒンジ22と係合可能な上扉係合部39が設けられている。
【００３５】
そして、交換ユニット２を筐体１に収納固定した状態で上扉30を閉じると、支持体ヒンジ22の反対側の縦枠に設けられたラッチ錠により上扉30は支持枠21に対して自動的にロックされ、筐体１の開口上部13が密閉される。また、下扉40を解放した状態で、特に図示しないが上扉30の下側に設けられた解除つまみを下方に引き下げることにより、上扉30のロックが解除されるようになっている。
（下扉40）
下扉40は、筐体１の筐体ヒンジ19に回動自在に軸支された上扉30よりも幅厚の扉であり、図１に示すように、下扉40の上部は、スロットマシンＳを作動させるためのカウンター状の操作部41となっている。また、下扉40の下部には、ホッパーユニット５から払い出されたメダルを貯めておくことができる下皿46が形成されており、下皿46と前記操作部41の間には、遊技内容その他の表示をするための下パネル47が嵌め込まれている。
【００３６】
前記操作部41としては、下扉40の上面右端にはメダル投入口42及び上面左側に設けられたベットスイッチ43、正面側にはスタートスイッチ44及びストップスイッチ45及び鍵穴40Aが設けられている。なお、ベットスイッチ43とは、貯留メダルをメダル投入に代えるためのものであり、スタートスイッチ44及びストップスイッチ45は、回転リール23の回転を開始及び停止させるためのものである。また、鍵穴40Aは、下扉40を解錠するためのものである。
なおスロットマシンＳは、メダルの投入又はベットスイッチ43の操作によりスタートスイッチ44の操作が有効となり、スタートスイッチ44の操作によって回転リール23が回転開始する。そして主基板ユニット24により行われる当選判定の抽選結果が所定の当選役に当選している場合に、ストップスイッチ45の操作により当選図柄が入賞の態様となるように回転リール23を停止させることができると入賞となり、ホッパーユニット５からメダルが払い出されたり、ボーナスゲームなどの有利な遊技が開始されるようになっている。
【００３７】
さらに、図２に示すように、下扉40の裏面側には、前記メダル投入口42から投入されたメダルを誘導しながらメダルの正偽を判断するためのメダルセレクター48が設けられているとともに、筐体ヒンジ19と係合可能な下扉係合部49が設けられている。
そして、下扉40を閉めると、ラッチ錠により自動的にロックされ、筐体１の開口下部14が密閉されるものである。また、前記鍵穴40Aに所定の鍵を差し込んで回すと、下扉40のロックが解除され、下扉40を解放することにより、上扉30のロックを解除することができるようになっている。
下扉40は、下パネル47を交換することにより、異なる機種にも対応させることができる。すなわち、機種交換に際して、下扉40本体は筐体１に残しておけるものである。また、下扉40本体が破損した場合や、機種変更により操作部41の形態が変更される場合には、筐体１から取り外して新たな下扉40と交換することができるものである。
【００３８】
（ハーネスカバー６）
ここで、ハーネスカバー６について詳述する。
ハーネスカバー６は、図４に示すように、交換ユニット２の支持枠21の仕切り枠210と、主基板ユニット24の主基板ケース240の正面下側との間に取り付けられる箱形のカバーである。そして、図５に示すように、主基板ユニット24とメインリール基板ユニット25とを接続するメインハーネス50（図３参照）を覆い隠すカバー部材60と、カバー部材60の内側に配置されるとともに、その一部がカバー部材60の上面から露出するロック部材70と、前記カバー部材60及びロック部材70を固定するためのカシメピン80とから構成されている。
【００３９】
（カバー部材60）
カバー部材60は、図５及び図８に示すように、背面側に背面開放部60A、底面側に底面開放部60Bを有する箱体であり、図７に示すように、上面略中央部には、前後方向に長い長孔61が形成されているとともに、長孔61の近傍には、内部側に突出（図１０参照）する係止突起62が設けられている。また、長孔61を挟んで係止突起62の反対側には、カシメピン80を挿入するためのピン孔63が形成されている。なお、特に図示しないが、カバー部材60の上面において長孔61の近傍には、手前側に「ＬＯＣＫ」、奥側に「ＯＰＥＮ」の文字が付されており、後述するロック部材70のつまみ71をその位置に合わせることにより、カバー部材60が取り外し可能となることを表示してある。
【００４０】
カバー部材60の正面側には、カバー部材60を仕切り枠210に取り付けたとき、仕切り枠210（リール枠20Aの一部を含む）の正面側を覆う前方垂下片66が形成されており、さらに、側面板の正面寄りには、切り欠き部64が形成されている。そして、図６に示すように、この切り欠き部64の下面64Aを仕切り枠210の上面に当接させ、前記前方垂下片66の裏面66Aを仕切り枠210の正面に当接させて、切り欠き部64が仕切り枠210を跨ぐように配置させることにより、カバー部材60が支持枠21に装着されるようになっている。
（ロック部材70）
ロック部材70は、図７に示すように、上面から突出し前記カバー部材60の長孔61に下側から挿入可能なつまみ71を有し、前記カバー部材60に取り付けたとき前記係止突起62と係合可能な爪部を備える係止片72と、前記ピン孔63と位置一致可能なピン固定孔73とを有している。また、ロック部材70の前面76の下部には、前方に突出する前面張り出し部74が形成されているとともに、左右の側面には横方向に張り出す側面張り出し部75が形成されている。
【００４１】
そして、ロック部材70は、カバー部材60の前方内側に設けられたガイドレール65（図８参照）に、前記側面張り出し部75を支持させることにより、カバー部材60に前後方向にスライド自在に取り付けられる。ロック部材70をカバー部材60に取り付けると、図６に示すように、長孔61からつまみ71が突出し、このつまみ71を前後方向に動かすことにより、長孔61の長さの範囲においてロック部材70をカバー部材60の内部で前後移動させることができるようになる（図９参照）。
ロック部材70をもっとも手前側の位置（固定位置）に移動させた場合には、図１０に示すように、係止片72が撓んでカバー部材60の係止突起62と係合し、ロック部材70はカバー部材60に仮固定される。このとき、図９（Ａ）に示すように、カバー部材60の切り欠き部64の下面64Aと、ロック部材70の前面張り出し部74の上面74Aとの間には、支持枠21の仕切り枠210の水平片212を上下方向から挟持可能な間隙が形成されるとともに、カバー部材60の前方垂下片66の裏面66Aとロック部材70の前面66との間には、仕切り枠210（仕切り枠210に固定されているリール枠20Aの正面上枠を含む。以下同様）を前後方向から挟持可能な間隙が形成される。またこのとき、カバー部材60のピン孔63とロック部材70のピン固定孔73が合致する。そして、ピン孔63とピン固定孔73にカシメピン80を貫通させることにより、ロック部材70がカバー部材60に固定されるようになっている。
【００４２】
（カシメピン80）
カシメピン80は、図７に示すように、リング状の頭部81と、差し込み側先端部に開閉爪を有する軸部82を有する一方向固定ピンであり、頭部81には横方向に張り出す舌片83が設けられている。前記頭部81は、軸部82の一端部を中心にして３〜４個のリブで連結されており、ある程度の力を加えると軸部82から切り離せるようになっている。前記軸部82は、ピン孔63及びピン固定孔73を挿通可能であるが、図８に示すように、先端の開閉爪がピン固定孔73を貫通すると開閉爪が広がって抜き取ることができなくなるようになっている。そしてこれにより、カバー部材60とロック部材70が着脱不能に固定される。
【００４３】
カシメピン80を取り外すにためには、舌片83をつまんで頭部81を引きちぎり、軸部82を挿入方向（下方）に抜き出さなければならないので、一度取り外すと二度と使用できない。ここで、ハーネスカバー６は交換ユニット２の出荷時にすでに取り付けられているものであり、遊技店においてメインハーネス50のコネクタ部分を引き抜き主基板241に不正なアクセスをしようとすると、ハーネスカバー６を取り外すためにカシメピン80を破壊しなければならない。このような場合には、ハーネスカバー６を着脱した痕跡が残ることとなり、遊技機の内部点検の際に悪事が判明してしまう。
（ハーネスカバー６の着脱）
次に、上記構成を有するハーネスカバー６の交換ユニット２への着脱について説明する。ここで、ハーネスカバー６は、交換ユニット２の製造過程において工場側で取り付け、台交換によって交換ユニット２が回収されてきたときには、工場側で取り外して再利用することができるものである。
【００４４】
まず、ハーネスカバー６を支持枠21に取り付ける場合には、カバー部材60のガイドレール65にロック部材70の側面張り出し部75を係合させてロック部材70をカバー部材60の内部に支持させ、つまみ71を長孔61の奥側に位置させる（図９（Ｂ）参照）。このときロック部材70は固定解除位置となっている。この状態で、カバー部材60の切り欠き部64を仕切り枠210の正面側から引っ掛けて、カバー部材60を奥側に回動させる。そして、図５及び図８に示すように、カバー部材60の底部に設けられた下部突起67がリール枠20Aの上面に当接すると、カバー部材60全体が水平に保持される。このとき、背面開放部60Aが主基板コネクタ52の位置に合致し、メインハーネス50はカバー部材60によってすっぽりと覆い隠される（図４、図５参照）。
【００４５】
次に、図９（Ａ）に示すように、つまみ71を長孔61のもっとも手前側の位置まで移動させることにより、カバー部材60の内部をロック部材70がスライドして、固定位置に移動する。この際、図１０に示すように、係止突起62と係止片72が係合し、カバー部材60とロック部材70が仮固定される。そして、前面張り出し部74が仕切り枠210の水平片212の下側に位置し、水平片212が切り欠き部64の下面64Aと前面張り出し部74の上面74Aとによって上下から挟まれるとともに、ロック部材70の前面76とカバー部材60の前方垂下片66の裏面66Aによって仕切り枠210が前後から挟まれる。そこで、ピン孔63からカシメピン80の軸部82を挿入してカシメピン80を固定し、カバー部材60に対してロック部材70を移動不能に固定すれば、カバー部材60は、ロック部材70によって前後方向及び上下方向の移動が阻止され、支持枠21に固定される。
【００４６】
一方、ハーネスカバー６を支持枠21から取り外す場合には、まずカシメピン80を破壊して取り外し、カバー部材60とロック部材70の固定を解除した後、手前側に位置しているつまみ71を奥方向に移動させる。この際、図１０に二点鎖線で示すように、係止突起62が撓んで係止片72との係合が解除され、カバー部材60の内部をロック部材70がスライドし、固定位置から固定解除位置に移動する。そして、図９（Ｂ）に示すように、前面張り出し部74が水平片212の下側の位置から外れ、前面76が水平片212の背面から離れる。これによって、カバー部材60は前後方向及び上下方向に移動可能となるので、少し手前側に移動させた後、上方に持ち上げれば、カバー部材60を支持枠21から取り外すことができる。
【００４７】
このように、本実施の形態によれば、主基板ユニット24とメインリール基板ユニット25を接続する接続部分をハーネスカバー６で覆い、これをロックして封印しておくことにより、主基板ユニット24に打ち込み機などを接続する不正接続を防止することができる。すなわち、基板構成や基板接続方法を改変することなく、既存の交換ユニット２にハーネスカバー６を取り付けるだけで不正防止を図ることができる。
また、ハーネスカバー６は、カバー部材60に対してスライド自在に取り付けられたロック部材70によって固定されており、カバー部材60とロック部材70を固定するカシメピン80を取り外すことにより固定が解除される。このため、カバー部材60及びロック部材70はそのまま再利用できるので、環境性、経済性に優れている。
【００４８】
なお、上記した実施の形態では、ロック部材70を前後方向にスライドさせてカバー部材60をロック及びロック解除するように形成してあったが、本発明においては、ロック部材70を水平方向に回動させることにより、カバー部材60をロック及びロック解除するようにしたものであってもよい。例えば、特に図示しないが、つまみ71をロック方向（所定の方向）に回転させるとロック部材70が回動して、前面張り出し部74又はロック部材70本体の上面などの当接面が仕切り枠210を挟持する位置となり、つまみ71をロック解除方向（所定方向の逆方向）に回転させると、前記当接面が仕切り枠210を挟持する位置から外れるように形成したものとすることができる。
【００４９】
あるいは、ロック部材70を上下にスライドさせることにより、カバー部材60をロック及びロック解除するようにしたものであってもよい。例えば、特に図示しないが、つまみ71をロック方向（例えば上方向）に移動させるとロック部材70が上方に移動して、前面張り出し部74又はロック部材70本体の上面などの当接面が仕切り枠210を挟持する位置となり、つまみ71をロック解除方向（例えば下方向）に移動させると、前記当接面が仕切り枠210から離れて（仕切り枠210との間に隙間ができて）、カバー部材60を仕切り枠210から取り外せるように形成したものとすることができる。
また、上記実施の形態では、メインハーネス50の全体がハーネスカバー６によってすっぽり覆われるように形成してあったが、少なくともコネクタ部分（主基板コネクタ52及びメインリール基板コネクタ53）がハーネスカバー６によって覆われ、抜き差し操作ができないようになっていればよい。すなわち、結線51の一部がハーネスカバー６から露出していてもかまわない。ただし、結線51に悪戯されないようにするため、メインハーネス50の全体を覆うのが好ましい。
【００５０】
さらに、上記実施の形態では、ハーネスカバー６は主基板ユニット24とメインリール基板25とを接続するメインハーネス50を被覆する構成としてあったが、ハーネスカバー６は、少なくとも主基板ユニット24に接続されている接続手段の接続部を被覆可能であればよい。要は、主基板ユニット24に接続されている接続手段の接続部が抜き差し操作できないようになっていれば、打ち込み機などを取り付けることができない。
また、スロットマシンＳは、交換ユニット２と上扉30を一体として交換可能に形成してあったが、遊技機としては、上記したような分離型スロットマシンに限られず、リールユニット20や主基板ユニット24が筐体１に固定されているスロットマシンであってもよい。この場合、ハーネスカバー６は、リールユニット20の枠体や筐体１に固定するようにしてもよい。そして、スロットマシン以外の遊技機であって、筐体内に主基板などの制御基板を備えその接続部が抜き差し操作可能な位置に配置されている遊技機にも、本発明を応用することができる。
【図面の簡単な説明】
【００５１】
【図１】本発明の実施の形態であって、スロットマシンの外観斜視図である。
【図２】本発明の実施の形態であって、スロットマシンの分解斜視図である。
【図３】本発明の実施の形態であって、交換ユニットの斜視図である。
【図４】本発明の実施の形態であって、交換ユニットの斜視図である。
【図５】本発明の実施の形態であって、交換ユニットの断面図である。
【図６】本発明の実施の形態であって、ハーネスカバーの斜視図である。
【図７】本発明の実施の形態であって、ハーネスカバーの分解斜視図である。
【図８】本発明の実施の形態であって、ハーネスカバーの断面図である。
【図９】本発明の実施の形態であって、ハーネスカバーの断面図である。
【図１０】本発明の実施の形態であって、ハーネスカバーの断面図である。
【符号の説明】
【００５２】
Ｓ  スロットマシン（遊技機）
１  筐体                            ２  交換ユニット
３  前扉                            ４  電源ユニット
５  ホッパーユニット                ６  ハーネスカバー
10  ハーネスダクト                  11  開口部
12  中板                            13  開口上部
14  開口下部                        15  底板
16  側板                            17  天板
18  裏板                            19  筐体ヒンジ
20  リールユニット（遊技装置）     20A  リール枠
21  支持枠（支持体）               210  仕切り枠（枠部）
211  垂直片                         212  水平片
215  縦枠                           216  正面下枠
22  支持体ヒンジ                    23  回転リール
24  主基板ユニット                 240  主基板ケース
241  主基板                          25  メインリール基板ユニット（中継基板）
250  リール基板ケース               251  メインリール基板
30  上扉                            31  図柄表示窓
32  液晶表示装置                    33  飾り部
35  スピーカ                        34  上パネル
40  下扉                            41  操作部
42  メダル投入口                    43  ベットスイッチ
44  スタートスイッチ                45  ストップスイッチ
46  メダル皿                        47  下パネル
48  メダルセレクター
50  メインハーネス（接続手段）      51  結線
52  主基板コネクタ                  53  メインリール基板コネクタ
60  カバー部材                      61  長孔
62  係止突起                        63  ピン孔
64  切り欠き部                     64A  下面（上側当接部）
65  ガイドレール                    66  前方垂下片
66A  裏面（当接部）
70  ロック部材                      71  つまみ
72  係止片                          73  ピン固定孔
74  前面張り出し部（突起）         74A  上面（下側当接部）
75  側面張り出し部                  76  前面（固定当接部）
80  カシメピン（封印固定手段）      81  頭部
82  軸部                            83  舌片
90  筐体コネクタ                   100  交換ユニットコネクタ
【図１】
2008302037.tif 000003
【図２】
2008302037.tif 000004
【図３】
2008302037.tif 000005
【図４】
2008302037.tif 000006
【図５】
2008302037.tif 000007
【図６】
2008302037.tif 000008
【図７】
2008302037.tif 000009
【図８】
2008302037.tif 000010
【図９】
2008302037.tif 000011
【図１０】
2008302037.tif 000012